(57)【要約】【課題】手間をかけることなく留め具を相手側部材に取付けるようにし、しかも比較的小さな荷重によって留め具を相手側部材から取り外すこと。【解決手段】被取付け部材Ｗを保持可能な基板１０と一体に形成された係止脚１４を相手側部材２４の取付け孔２６に挿入して係止する構成となっており、係止脚１４は、基板１０から突出した支柱１８と、支柱１８から両側にそれぞれ張出した状態で形成され、しかも個々の下端が基板１０に連結されている一対の係止片１６とを備えた留め具において、支柱１８は、支柱１８の引き抜き方向に対して引っ張る荷重を受けたときに切断される薄肉部３０を有し、一対の係止片１６は、薄肉部３０が切断されることで支柱１８の上下方向に伸びて一対の係止片１６の両側への張出しが減少するようになっている構成とした。【選択図】        図４
2007139086.tif 000002
【特許請求の範囲】
【請求項１】
被取付け部材を保持可能な基板と一体に形成された係止脚を相手側部材の取付け孔に挿入して係止する構成となっており、前記係止脚は、前記基板から突出した支柱と、該支柱から両側にそれぞれ張出した状態で形成され、しかも個々の下端が該基板に連結されている一対の係止片とを備えた留め具であって、
前記支柱は、該支柱の引き抜き方向に対して引っ張る荷重を受けたときに切断される薄肉部を有し、
前記一対の係止片は、前記薄肉部が切断されることで前記支柱の上下方向に伸びて該一対の係止片の両側への張出しが減少するようになっていることを特徴とする留め具。
【発明の詳細な説明】
【技術分野】
【０００１】
本発明は、ワイヤーハーネスなどの被取付け部材を車両ボデーなどの相手側部材に取付けるための留め具に関するものである。
【背景技術】
【０００２】
従来の留め具が特許文献１に記載されている。図６は、従来の留め具１を使用するときの状態を示す側面図である。図６に示すように、留め具１は、ワイヤーハーネスＷを保持可能な基板１０と、基板１０の中間位置で形成されたスタビライザー１２と、基板１０に一体に形成された係止脚１４とを備え、係止脚１４を車両ボデー２４の取付け孔２６に挿入して係止する構成となっている。スタビライザー１２は、係止脚１４の先端側から取付け孔２６に挿入する挿入力を作用させると、車両ボデー２４の表面と当接する。そして、スタビライザー１２は、当接した際に挿入方向とは逆方向に生じる反力を受止めて留め具１のガタつきを防止する。係止脚１４は、基板１０から突出した支柱１８と、支柱１８から両側にそれぞれ張出した状態で形成され、しかも個々の下端が基板１０に連結されている一対の係止片１６とを備えている。支柱１８は、所定以上の引っ張り荷重を受けたときに結合が外れるロック部９０を有している。この留め具１では、ロック部９０が外れることで両係止片１６、１６がほぼまっすぐに伸びて両側への張り出しが減少するようになっている。この特許文献１に記載の留め具によれば、取り外したいときは比較的小さな荷重を加えることで車両ボデーなどの相手側部材から留め具を簡単に外すことができる。
【０００３】
【特許文献１】特開平９−２１７８６４号公報
【発明の開示】
【発明が解決しようとする課題】
【０００４】
しかしながら、従来の留め具では、その使用時（納品時）には、いったん成形したものを作業員の手作業によりロックした状態にしてから取付ける必要がある。したがって、留め具を相手側部材に取付けるときに手間がかかる、という問題が指摘されていた。
本発明は上記のような問題に鑑みてなされたものであり、本発明が解決しようとする課題は、手間をかけることなく留め具を相手側部材に取付けるようにし、しかも比較的小さな荷重によって留め具を相手側部材から取り外すことにある。
【課題を解決するための手段】
【０００５】
本発明は前記課題を解決するために、次の手段をとる。
本発明は、被取付け部材を保持可能な基板と一体に形成された係止脚を相手側部材の取付け孔に挿入して係止する構成となっており、前記係止脚は、前記基板から突出した支柱と、該支柱から両側にそれぞれ張出した状態で形成され、しかも個々の下端が該基板に連結されている一対の係止片とを備えた留め具であって、前記支柱は、該支柱の引き抜き方向に対して引っ張る荷重を受けたときに切断される薄肉部を有し、前記一対の係止片は、前記薄肉部が切断されることで前記支柱の上下方向に伸びて該一対の係止片の両側への張出しが減少するようになっていることを特徴とする。
本発明によれば、薄肉部が支柱の引き抜き方向に対して引っ張る荷重を受けたときに切断される。このため、基板に連結された一対の係止片は、支柱の上下方向に伸びてその張り出しが減少する。これにより、減少した一対の係止片の張り出し分だけ係止脚と取付け孔との係止がルーズになるので、比較的小さな荷重によって留め具を相手側部材から外すことが可能になる。また、従来の留め具のように、相手側部材に取付ける前にいちいちロックする必要もないので、手間をかけることなく留め具を相手側部材に取付けることが可能になる。
【発明の効果】
【０００６】
本発明は上述した手段をとることにより、次の効果を得ることができる。
すなわち、手間をかけることなく留め具を相手側部材に取付けるようにし、しかも比較的小さな荷重によって留め具を相手側部材から取り外すことが可能になる。また、本発明に係る留め具を車両ボデーに対するワイヤーハーネス用に使用した場合には、車両の解体時に銅資源として有用なワイヤーハーネスを車両ボデーから簡単に取り外してそのリサイクルが可能になる。
【発明を実施するための最良の形態】
【０００７】
以下、本発明の最良の実施形態について図面を参照しながら詳細に説明する。
図１は、本実施形態に係る留め具１を示す斜視図である。図２は、図１に示した留め具１を正面から見た正面図である。図３は、図１に示した留め具１を上から見た平面図である。図４は、留め具１を使用するときの状態を示す側面図である。図５は、係止脚１４が取付け孔２６に係止された状態（図５（Ａ））と、係止脚１４に引き抜き方向へ引っ張る荷重を加えた後の状態（図５（Ｂ））を示す側面図である。
図１乃至図５に示すように、留め具１は、全体がポリエチレン等の合成樹脂製とされており、ワイヤーハーネスＷを保持可能な基板１０と、基板１０の中間位置で形成された皿形状に形成されたスタビライザー１２と、基板１０に一体に形成された係止脚１４とを備えている。なお、図面における説明の都合上、スタビライザー１２は図１乃至図４においてはその形態を省略し、図５においてはその形態を仮想線で示している。本実施形態に係る留め具１では、ワイヤーハーネスＷを基板１０に巻きつけた状態で結束して、係止脚１４を車両ボデー２４の取付け孔２６に挿入して係止する構成となっている。このとき、図５（Ａ）に示すようにスタビライザー１２は、係止脚１４の先端側から取付け孔２６に挿入する挿入力を作用させると、車両ボデー２４の表面と当接する。そして、スタビライザー１２は、当接した際に挿入方向とは逆方向に生じる反力を受止める。これにより、ワイヤーハーネスＷをガタつかせることなく留め具１に保持した状態とすることができるようになっている。
【０００８】
係止脚１４は、図１乃至図４に良く示されるように、基板１０の中央付近の上面から突設して柱形状に形成された支柱１８と、支柱１８の両側位置で翼形状に形成された係止片１６と、係止片１６の途中部位で段差状に形成された係止爪１９と、を有して構成されている。
【０００９】
支柱１８は、基板１０の上面から立設した下柱１８ａと、下柱１８ａの上端位置から上方向に伸びて薄肉に形成された薄肉部３０と、薄肉部３０の上端位置でつながっている略Ｔ字形状の上柱１８ｂとを備えている。
下柱１８ａは、基板１０の上面から直接立設した構成となっている。このため、支柱１８の引き抜き方向に対して引っ張る荷重が加わると、下柱１８ａに荷重が加わりやすい構成になっている。
【００１０】
薄肉部３０は、下柱１８ａと上柱１８ｂとの間で上下方向にまっすぐに伸びた状態で両者とつながっている。本実施形態では、留め具１全体がポリエチレン等の合成樹脂製で形成されているため、薄肉部３０も留め具１と同じ素材で形成されているものである。このため、留め具１の通常の取付状態では、留め具１に車の走行による振動程度の力が働いても留め具１は安定した状態で取付けておくことが可能である。一方、支柱１８の引き抜き方向に対して引っ張る荷重を受けたときには、薄肉部３０は切断される構成となっている。ここで、支柱の引き抜く方向とは、支柱に対して垂直方向に引き抜く方向又は支柱に対して斜めに引き抜く方向のことを指している。
【００１１】
図４に示すように、上柱１８ｂは、車両ボデー２４の取付け孔２６に対して貫通して配設される構成となっている。これにより、留め具１を取付け孔２６に挿入しやすくなる。そして、上柱１８ｂの大きさは、取付け孔２６に対応した大きさ形状に形成されている。ここで、取付け孔２６に対応した大きさ形状とは、係止脚１４を取付け孔２６へ挿入したときにガバガバになったり、きつくて挿入できなくなったりしない形状、という意味である。図４に示すように、本実施形態に係る留め具１では、係止脚１４の先端（図４で見て下方）の形状は、長孔状の取付け孔２６に対してやや大きく形成されている。
【００１２】
係止片１６は、上柱１８ｂの両端部位を基端として支柱１８の両側外方向に伸びた翼形状に形成されており、基端位置から根元方向に向けて拡開して配設されている。そして、拡開して配設された係止片１６の張り出して形成された部位が張出部２０となっている。また、係止片１６は、車両ボデー２４の取付け孔２６への挿入時には縮径可能な構成とされている。これにより、係止脚１４を取付け孔２６へスムーズに挿入させることが可能になる。
また、係止片１６、１６は、基板１０と直接連結する連結部１６ａ、１６ａによってそれぞれ連結されている。そして、連結部１６ａと係止爪１９との中間位置には、可撓性を有し略Ｖ字形状に形成された可撓部１６ｂが配設されている。この可撓部１６ｂは、常時、連結している係止片１６と基部１０とに対して離反する方向の作用力を及ぼしている。
【００１３】
係止爪１９は、係止片１６が取付け孔２６に嵌合した際に取付け孔２６に係止する構成となっている。また、係止爪１９は、係止片１６の途中部位に複数の段差を有する段差形状に形成されている。これにより、係止脚１４は、取付け孔２６に対してしっかりと係止される。
【００１４】
続いて、本実施形態に係る留め具１の使用方法について説明する。
まず、係止脚１４を車両ボデー２４に形成された取付け孔２６に挿入する場合について説明する。図４に示すように、係止脚１４を取付け孔２６に向かって挿入させていくと、係止片１６が取付け孔２６の径によって弾性的に収縮変形しながら挿入される。そして、係止片１６が取付け孔２６の径と係止することで係止片１６が係止脚１４の外側方向へ拡開する。また、車両ボデー２４の表面側は、スタビライザー１２により弾性的に受止められる。したがって、図５（Ａ）に示すように、留め具１は、基板１０と係止爪１９とによって車両ボデー２４を挟み込んだ取付状態となっている。これにより、留め具１を車両ボデー２４にしっかりと取付けておくことが可能となる。
【００１５】
次に、係止脚１４が取付け孔２６に係止された状態から係止脚１４を取付け孔２６から引き抜く場合について説明する。図５（Ａ）に示すように、支柱１８の垂直方向に対して引っ張る荷重Ｐが働いた場合には、薄肉に形成された薄肉部３０は支柱１８の上下方向に切断される。図５（Ｂ）には、薄肉部３０が切断された後の状態を示している。図５（Ｂ）に示すように、薄肉部３０が切断されると、略Ｖ字形状に形成された可撓部１６ｂは荷重Ｐにより伸直方向に伸びる動きをする。そして、拡開方向への係止爪１９の係止は、荷重Ｐにより縮径方向に作用する。すなわち、係止脚１４が伸び姿勢をなしながら係止片１６の両側へ張り出した張出部２０が減少するようになっている。張出部２０の張り出しが減少すると、係止脚１４は取付け孔２６から引き抜き可能な状態となり、留め具１は車両ボデー２４から引く抜かれる。なお、係止脚１４に車の走行による振動等の微細な荷重が働いた場合には、係止爪１９と取付け孔２６との係止により係止片１６が取付け孔２６の径に対して踏ん張っているので、通常の取付状態では安定した取付状態となっている。
以上説明したように、本実施形態に係る留め具１によれば、手間をかけることなく、留め具を車両ボデー等の相手側部材に取付けることが可能になる。また、作業員が引き抜く力程度の比較的小さな荷重によって留め具を相手側部材から外すことが可能になる。
【００１６】
本発明は上記実施の形態の構成に限定されることはなく、その他種々の形態で実施ができるものである。
例えば、上記実施形態では、留め具１は、薄肉部３０は、支柱１８の垂直方向に対して引っ張る荷重を受けたときに切断される構成としたが、この構成に限定されるものではない。すなわち、薄肉部３０は、支柱１８の斜め方向に対して引っ張る荷重を受けたときに切断される構成としてもよい。
【図面の簡単な説明】
【００１７】
【図１】本実施形態に係る留め具を示す斜視図である。
【図２】図１に示した留め具を正面から見た正面図である。
【図３】図１に示した留め具を上から見た平面図である。
【図４】本実施形態に係る留め具を使用するときの状態を示す側面図である。
【図５】係止脚が取付け孔に係止された状態と、係止脚に引き抜き方向へ引っ張る荷重を加えた状態を示す側面図である。
【図６】従来の留め具を使用するときの状態を示す側面図である。
【符号の説明】
【００１８】
１    留め具
１０  基板
１４  係止脚
１６  係止片
１８  支柱
１８ａ      下柱
１８ｂ      上柱
１９  係止爪
２０  張出部
２４  車両ボデー
２６  取付け孔
３０  薄肉部
Ｐ    荷重
Ｗ    ワイヤーハーネス
【図１】
2007139086.tif 000003
【図２】
2007139086.tif 000004
【図３】
2007139086.tif 000005
【図４】
2007139086.tif 000006
【図５】
2007139086.tif 000007
【図６】
2007139086.tif 000008